(57)【要約】【課題】煩雑な手間を要することなく読み上げ前の警告音をユーザが設定でき、しかも必要なときのみ警告音を発生することができる携帯端末装置を提供する。【解決手段】読み上げ項目に応じたテキストを記憶するメモリ１２と、警告音を生成する警告音発生部２０と、読み上げを行う際に、メモリ１２に記憶されたテキストを音声データに変換する音声合成処理部１７と、音声データまたは警告音を出力する音声出力部１７１と、音声出力部１７１にて音声データを出力する際、読み上げ開始の理由に応じて、警告音を音声出力部にて出力してから音声データを出力するように制御する制御部２１とを有する。【選択図】      図１
2006014246.tif 000002
【特許請求の範囲】
【請求項１】
音声による読み上げ機能を有する携帯端末装置であって、
読み上げ項目に応じたテキストを記憶する記憶部と、
警告音を生成する警告音発生部と、
読み上げを行う際に、上記記憶部に記憶されたテキストを音声データに変換する音声合成部と、
上記音声データまたは警告音を出力する音声出力部と、
上記音声出力部にて上記音声データを出力する際、上記警告音を上記音声出力部にて出力してから音声データを出力する制御と、上記警告音を上記音声出力部にて出力することなく音声データを出力する制御のいずれかを選択する制御部と
を有することを特徴とする携帯端末装置。
【請求項２】
音声による読み上げ機能を有する携帯端末装置であって、
読み上げ項目に応じたテキストを記憶する記憶部と、
第１の制御信号に従って警告音を生成する警告音発生部と、
第２の制御信号に従って上記記憶部に記憶されたテキストを音声データに変換する音声合成部と、
上記音声データまたは警告音を出力する音声出力部と、
上記音声出力部にて上記音声データを出力する際、上記第１の制御信号により警告音を生成した後、上記第２の制御信号にてテキストを音声データに変換する制御と、上記警告音の生成なく上記第２の制御信号にてテキストを音声データに変換する制御とのいずれかを選択する制御部と
を有することを特徴とする携帯端末装置。
【請求項３】
読み上げを指示可能な操作部を有し、
上記制御部は、上記操作部による読み上げ指示か、端末内部の状態遷移に応じた自動読み上げかのいずれにより開始される読み上げであるかにより上記選択がなされるかを判定する
ことを特徴とする請求項１または２に記載の携帯端末装置。
【請求項４】
上記自動読み上げは、電池残量または電波状況の遷移に基づくものである
ことを特徴とする請求項３に記載の携帯端末装置。
【請求項５】
重み付けテーブルを有し、
上記制御部は、上記重み付けテーブルの重み付けに応じて自動読み上げを行うか行わないかを判定する
ことを特徴とする請求項３に記載の携帯端末装置。
【請求項６】
通信網に接続可能な通信部と、
上記通信部により上記通信網からの情報の受信または着信の処理が生じると報知音を生成する報知音生成部と、を有し、
上記制御部は、上記情報の受信または着信の処理の発生により上記報知音を上記音声出力部にて出力する際、上記警告音を上記音声出力部から出力せず読み上げを行う
ことを特徴とする請求項１乃至５のうちのいずれか一に記載の携帯端末装置。
【請求項７】
上記制御部は、上記音声出力部にて上記警告音を出力させてから所定時間経過後に上記音声データを出力させる
ことを特徴とする請求項１に記載の携帯端末装置。
【請求項８】
上記制御部は、第１の制御信号により警告音を発生させてから所定の時間経過後に上記第２の制御信号により上記音声合成部に上記音声データを生成させる
ことを特徴とする請求項２に記載の携帯端末装置。
【請求項９】
操作部を有し、
上記制御部は、上記所定時間の間に上記操作部からの入力があると、上記音声出力部にて上記音声データを出力させない
ことを特徴とする請求項７または８に記載の携帯端末装置。
【請求項１０】
上記操作部は、所定の処理が対応付けされており、
上記制御部は、上記所定時間の間に上記操作部からの入力があった場合、上記音声出力部にて上記音声データを出力させないのみで、上記所定の処理を行わない
ことを特徴とする請求項９に記載の携帯端末装置。
【請求項１１】
音声による読み上げ機能を有する携帯端末装置の音声読み上げ方法であって、
読み上げ項目に応じたテキストを記憶し、
上記テキストを音声データに変換して読み出す際に、
上記音声出力部にて警告音を出力してから音声データについても出力するか、警告音を出力せずに音声データを出力するかを選択する
ことを特徴とする携帯端末装置の音声読み上げ方法。
【発明の詳細な説明】
【技術分野】
【０００１】
本発明は、たとえば携帯電話機等の無線通信を行う携帯端末装置に係り、特に、表示中の項目を音声にて読み上げる機能を有する携帯端末装置に関するものである。
【背景技術】
【０００２】
近年、携帯端末装置としてキー操作に対応して、このキー操作により設定された機能名等をアナウンスするようにした携帯電話機が提案されている（たとえば特許文献１参照）。
この携帯電話機は、複数のキー操作部と、キー操作部の１あるいは複数のキー操作に従い電話機が備えた複数の機能のうち、キー操作に対応する機能に関して設定を行う制御部と、キー操作に連動して設定される機能名を音声出力する音声合成部とを有する。
【０００３】
また、音声出力機能を有する装置として、不審者が侵入した際、固定電話または携帯電話機に警告音を発し、読み上げ機能に設定されているボタンスイッチを押下すれば現場の音声を伝達可能なもの、あるいは警告音を徐々に大きくすることで心理的効果を得るというもの等が提案されている。
【特許文献１】特開平１１−２５２２１６号公報
【発明の開示】
【発明が解決しようとする課題】
【０００４】
ところが、特許文献１に記載された携帯電話機においては、キー操作に応じて、短縮番号メモリの検索結果を音声情報に変換してユーザに伝達するのみで、音声読み上げ前に警告音を発生することは考慮されていない。
【０００５】
また、上述した特許文献１以外の前者の装置では、ボタンスイッチの押下による読み上げか、自動読み上げかは設定できるが、自動に設定した場合の警告音等を発生する機能は存在しない。このため、読み上げがスタートしたときの始めの言葉が聞き取れない可能性がある。
また、読み上げ前の警告音をユーザが設定できないため、自分にかかわりのある事由であるかどうかの判断が遅くなる。
また、警告音の必要がないとにも発してしまうという不利益がある。
【０００６】
警告音を徐々に大きくする後者の装置では、警告音を発しながら、ボタンを押下して初めて現場の音声で伝わることから、操作手順が多く煩雑であるという不利益がある。
【０００７】
本発明は、かかる事情に鑑みてなされたものであり、その目的は、煩雑な手間を要することなく読み上げ前の警告音をユーザが設定でき、しかも必要なときのみ警告音を発生することができる携帯端末装置を提供することにある。
【課題を解決するための手段】
【０００８】
上記目的を達成するため、本発明の第１の観点は、音声による読み上げ機能を有する携帯端末装置であって、読み上げ項目に応じたテキストを記憶する記憶部と、警告音を生成する警告音発生部と、読み上げを行う際に、上記記憶部に記憶されたテキストを音声データに変換する音声合成部と、上記音声データまたは警告音を出力する音声出力部と、上記音声出力部にて上記音声データを出力する際、上記警告音を上記音声出力部にて出力してから音声データを出力する制御と、上記警告音を上記音声出力部にて出力することなく音声データを出力する制御のいずれかを選択する制御部とを有する。
【０００９】
本発明の第２の観点は、音声による読み上げ機能を有する携帯端末装置であって、読み上げ項目に応じたテキストを記憶する記憶部と、第１の制御信号に従って警告音を生成する警告音発生部と、第２の制御信号に従って上記記憶部に記憶されたテキストを音声データに変換する音声合成部と、上記音声データまたは警告音を出力する音声出力部と、上記音声出力部にて上記音声データを出力する際、上記第１の制御信号により警告音を生成した後、上記第２の制御信号にてテキストを音声データに変換する制御と、上記警告音の生成なく上記第２の制御信号にてテキストを音声データに変換する制御とのいずれかを選択する制御部とを有する。
【００１０】
好適には、読み上げを指示可能な操作部を有し、上記制御部は、上記操作部による読み上げ指示か、端末内部の状態遷移に応じた自動読み上げかのいずれにより開始される読み上げであるかにより上記選択がなされるかを判定する。
【００１１】
好適には、上記自動読み上げは、電池残量または電波状況の遷移に基づくものである。
【００１２】
好適には、重み付けテーブルを有し、上記制御部は、上記重み付けテーブルの重み付けに応じて自動読み上げを行うか行わないかを判定する。
【００１３】
好適には、通信網に接続可能な通信部と、上記通信部により上記通信網からの情報の受信または着信の処理が生じると報知音を生成する報知音生成部と、を有し、上記制御部は、上記情報の受信または着信の処理の発生により上記報知音を上記音声出力部にて出力する際、上記警告音を上記音声出力部から出力せず読み上げを行う。
【００１４】
好適には、上記制御部は、上記音声出力部にて上記警告音を出力させてから所定時間経過後に上記音声データを出力させる。
【００１５】
好適には、上記制御部は、第１の制御信号により警告音を発生させてから所定の時間経過後に上記第２の制御信号により上記音声合成部に上記音声データを生成させる。
【００１６】
好適には、操作部を有し、上記制御部は、上記所定時間の間に上記操作部からの入力があると、上記音声出力部にて上記音声データを出力させない。
【００１７】
好適には、上記操作部は、所定の処理が対応付けされており、上記制御部は、上記所定時間の間に上記操作部からの入力があった場合、上記音声出力部にて上記音声データを出力させないのみで、上記所定の処理を行わない。
【００１８】
本発明の第３の観点は、音声による読み上げ機能を有する携帯端末装置の音声読み上げ方法であって、読み上げ項目に応じたテキストを記憶し、上記テキストを音声データに変換して読み出す際に、上記音声出力部にて警告音を出力してから音声データについても出力するか、警告音を出力せずに音声データを出力するかを選択する。
【発明の効果】
【００１９】
本発明によれば、煩雑な手間を要することなく読み上げ前の警告音をユーザが設定でき、しかも必要なときのみ警告音を発生することができる利点がある。
【発明を実施するための最良の形態】
【００２０】
以下、本発明の実施形態を添付図面に関連付けて説明する。
【００２１】
図１は、本発明の携帯端末装置としての携帯電話機１０のシステム構成の一例を図解したブロック図である。図２は、携帯電話機１の外観の一例を図解した図である。
携帯電話機１０は、可動機構を有する、いわゆる折り畳み式携帯電話機であって、図２（ａ）は開かれた状態（開状態）での正面図を、（ｂ）は閉じられた状態（閉状態）での正面図を、（ｃ）は開状態での側面図を、（ｄ）は閉状態での側面図を、それぞれ示す。
【００２２】
本実施形態に係る携帯電話機１０は、通常の携帯電話機の機能に加えて、音声読み上げ機能を有し、かつ、携帯電話機１０が読み上げ指示を受けた場合、その読み上げ前に警告音を鳴らすことでユーザ（聞き手）側に注意を促せ、心理的効果を得るように構成されている。
携帯電話機１０において、警告音を鳴らす状況は音声読み上げ機能を「自動」にセットし、かつ、たとえば電波状況や電池残量の有無など特に重要なステータスをユーザに知らせる必要があるときのみである。
本実施形態に係る携帯電話機１０は、着信時やメール受信時に読み上げを行う場合は、いわゆるバイブレーションや着うた、着メロが読み上げ時間前の警告音の役割をするものとして通常の警告音は発しない。
すなわち、携帯電話機１０においては、明らかに聞くことのできる状況にあるときまで警告音は発しないように構成されている。
なお、その警告音をユーザが設定できることで自分の端末が読み上げられるということを瞬時に判断できるように構成されている。
【００２３】
本実施形態に係る携帯電話機１０において、あとで詳述するように、「警告音発生」の条件に関しては以下の２点が存在する。
第１は、条件テーブルを参照して警告音を発生させる点である。
第２は、条件テーブルのような固定的な設定ではなく、各事象（イベント）に重み付けの数値をあらかじめ与えておき、利用者がどの範囲で警告音を鳴らすか、重み付けテーブルの重み値とユーザの設定値を比較し、警告音の鳴動、非鳴動を制御することでユーザの利便性を向上させる点である。
【００２４】
以下、本実施形態に係る携帯電話機１０の各部の構成、機能、並びに、音声読み上げ制御について順を追って説明する。
【００２５】
図１に示すように、携帯電話機１０は、送受信アンテナ１１１を含む通信処理部１１と、メモリ１２と、キー操作部１３と、ダイヤル入力部１４と、サブ表示部１５と、メイン表示部１６と、スピーカ１７１およびマイクロフォン１７２を含む音声合成処理部１７と、開閉スイッチ１８と、読み上げキー入力部１９と、警告音発生部２０と、制御部（ＣＰＵ）２１とを有している。
また、図２（ａ）に示すように、携帯電話機１０の本体ケース１００は、第１の筐体としてのキー入力側本体ケース１０１と、第２の筐体としての表示側本体ケース１０２とが、図示しない可動機構により連結されて、開閉状態を形成するように構成される。
【００２６】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、制御部２６で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して制御部２６に出力する。
なお、送受信アンテナ１１１は、キー入力側本体ケース１０１または表示側本体ケース１０２に内蔵され、図２において外部に露出されていない。
【００２７】
メモリ（記憶部）１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
メモリ１２は、後述する読み上げ機能に必要なテキスト列を含む音声読み上げデータベースを記憶する。このデータベースでは、読み上げのためのテキスト列について、前後の接続関係が文章として成立するように、体系的に整理されている。
メモリ１２は、音声読み上げ機能の制御テーブル、重み付けテーブルを記憶する。
メモリ１２は、表示部が表示するメニューの項目毎に、「標準テキスト」、「短縮テキスト」および「説明テキスト」を記憶する。
【００２８】
キー操作部１３は、終了（終話）／電源キー、開始（発呼）キー、数字等に対応した複数のテンキー等を有し、これらのキーがユーザにより操作されることにより、ユーザからの入力情報を制御部２１に出力する。
また、キー操作部１３の操作により、メモリ１２に記憶される音声読み上げ機能の制御テーブルの各項目の読み上げするか否か（ＯＮ／ＯＦＦ）を制御部２１を通して設定可能である。
また、キー操作部１３の操作により、メモリ１２に記憶される音声読み上げ機能の重み付けテーブルの各項目の重み値を制御部２１を通して設定可能である。
【００２９】
ダイヤル入力部１４は、図２（ｃ）に示すように、ユーザが開状態の携帯電話機１０を保持した時にユーザの親指により操作がしやすくなるように、表示側本体ケース１０２の側面に配設されるダイヤル式の入力部であり、上下２方向の操作が可能に構成される。
ダイヤル入力部１４に対する操作により、ユーザは、音声の出力音量やサブ表示部１５およびメイン表示部１６に表示する文字サイズを変更することが可能となる。
また、図２（ｃ）および（ｄ）から明らかなように、閉状態と開状態のダイヤル入力部１４を比較すると、上下２方向の操作方向が物理的に逆転することになるが、本実施形態においては、ユーザにとって違和感が生じないように、ユーザから見た操作方向と操作に対する作用（たとえば、上述した音量変更や表示フォントサイズ（表示する文字サイズ）の変更）が常に一致するように、後述する制御部２１により制御される。
【００３０】
サブ表示部１５は、液晶表示装置（ＬＣＤ）等の表示デバイスを有し、図２（ｃ）に示すように、閉状態においてユーザに視認される。
メイン表示部１６は、液晶表示装置（ＬＣＤ）等の表示デバイスを有し、図２（ａ）に示すように、開状態においてユーザに視認される。
サブ表示部１５およびメイン表示部１６は、それぞれ閉状態および開状態において、受信した電子メールのテキストやメモリ１２に格納された様々なテキストデータを表示する。
【００３１】
音声合成処理部１７は、音声処理回路を有し、通話機能のために音声出力を行うスピーカ１７１と音声入力を行うマイクロフォン１７２とが接続されている。
音声処理部１７は、マイクロフォン１７２により収音した音声に対して所定の処理を行って制御部２１に供給する。また、音声処理部１７は、制御部２１により供給された音声情報に対して所定の処理を行ってスピーカ１７１から出力させる。
また、図２（ａ），（ｂ）に示すように、スピーカ１７１は、受話スピーカ１７１ａおよびリンガスピーカ１７１ｂの２箇所の音声出力部を含み、読み上げ機能の処理結果である音声を出力する。
さらに、音声合成処理部１７は、音声合成回路を有し、読み上げを行う際に、制御部２１においてメモリ１２から読み出され抽出されたテキストデータを音声データに変換して、音声出力部である受話スピーカ１７１ａまたはリンガスピーカ１７１ｂにより音声合成して音声出力させる。
音声合成処理部１７は、音声読み上げの際、制御部２１による第２の制御信号ＣＴＬ２の制御の下、音声出力部にて受話スピーカ１７１ａまたはリンガスピーカ１７１ｂにより音声合成した音声データを出力させる際、読み上げ開始の理由に応じて、警告音を音声出力部にて出力させてから音声データを出力する。
【００３２】
開閉スイッチ１８は、携帯電話機１０の開閉状態を検出するためのスイッチである。
開閉スイッチ１８の具体的な構成としては、様々な技術を適用することができるが、たとえば図２（ａ）に示すように、キー入力側本体ケース１０１および表示側本体ケース１０２のそれぞれに接点部を有し、閉状態（図２（ｂ））において両接点が電気的に非導通となることにより、オフ状態となるような構成にすることができる。
たとえば、携帯電話機１０が閉状態で開閉スイッチ１８はオン状態（ＯＮ状態）となり、開状態で開閉スイッチ１８はオフ状態（ＯＦＦ状態）となるように構成し、制御部２１が開閉スイッチの状態を検出することにより、携帯電話機１０の開閉状態を判別する。
【００３３】
読み上げキー操作部１９は、図２（ｂ）に示すように、表示側本体ケース１０２の中央に配設される押下式ボタン１９ａと、当該ボタンによるスイッチ入力に対する入力回路と、を含んで構成される。
本実施形態における携帯電話機１０は、読み上げ機能を有し、押下式ボタン１９ａが押下（操作）されると、たとえば閉状態にリンガスピーカ２１により音声出力し、開状態では受話スピーカ１７１より音声出力するように制御部２１により制御される。
後述する制御部２１は、携帯電話機１０の開閉状態を開閉スイッチ１８の出力により判別した後、読み上げのための音声出力先を音声合成処理部１７に通知する。
【００３４】
警告音発生部２０は、制御部２１により第１の制御信号ＣＴＬ１を受けて警告音、たとえば「ピンポン」という警告音を生成し、制御部２１を通して、あるいは直接的に、音声合成処理部１７に供給する。
【００３５】
制御部２１は、マイクロコンピュータを主体として構成され、携帯電話機１の全体の制御を行う。たとえば、制御部２１は、通信処理部１１における各種情報の無線による送受信の制御、音声処理部１７に対する音声情報の処理、メイン表示部１６への情報の表示制御、キー入力部１３の入力情報に応じた処理、メモリ１２に対するアクセス制御等を行う。
【００３６】
制御部２１は、ユーザによる押下式ボタン１９ａの操作がなされると、表示されるテキストの読み上げ機能を実行する。その際、読み上げ機能として、読み上げ用の音声データを出力する方式ではなく、テキスト列を抽出／生成してそのテキストを読み上げるテキスト読み上げ方式を用いている。
【００３７】
制御部２１は、音声データを出力する際、読み上げ開始の理由に応じて、制御信号ＣＴＬ１により警告音を生成させて警告音を音声出力部であるスピーカから出力してから音声データを出力するように第２の制御信号ＣＴＬ２を音声合成処理部１７に出力する。
換言すれば、制御部２１は、音声データを出力する際、読み上げ開始の理由に応じて、第１の制御信号ＣＴＬ１により警告音を生成した後、第２の制御信号ＣＴＬ２にてテキストを音声データに変換するように制御する。
制御部２１は、音声出力部であるスピーカ１７２にて警告音を出力させてから所定時間経過後に音声データを出力させる。
すなわち、制御部２１は、第１の制御信号ＣＴＬにより警告音発生部２０に警告音を発生させてから所定の時間経過後に第２の制御信号ＣＴＬ２により音声合成処理部１７に音声データを生成させる。
また制御部２１は、所定時間の間にキー操作部１３からの入力があると、音声出力部であるスピーカ１７２にて音声データを出力させない。
キー操作部１３は、所定の処理が対応付けされており、制御部２１は、所定時間の間にキー操作部１３からの入力があった場合、音声出力部であるスピーカ１７２にて音声データを出力させないのみで、所定の処理を行わないように制御する。
【００３８】
さらに制御部２１は、読み上げ開始の理由として、読み上げキー操作部１９による読み上げ指示か、端末内部の状態遷移に応じた自動読み上げかを判定する。
この自動読み上げは、たとえば電池残量または電波状況の遷移に基づくものである。
この自動読み上げに際しては、制御部２１は、メモリ１２に記憶されている音声読み上げ機能の制御テーブルを参照する。
【００３９】
図３は、本実施形態に係る制御テーブルの一例を示す図である。
図３の例では、自動読み上げのカテゴリーとして電池残量と、電波状況と、その他に区分けしている。
【００４０】
携帯電話機１０は図示しない二次電池（以降電池という）により電源供給を受けており、制御部２１は、電池の電圧値を常時監視することにより電池残量を把握している。この電池電圧値が所定のしきい値以上かどうかにより電池フラグを設定しており、このしきい値が複数のレベルで設けられている。これに基づいて、残量の少ないものから順に、電池フラグが０個、１個、２個、３個と指定し、表示部１５、１６にて表示する。
電池状況は、たとえば表示部１５、１６に表示される電池フラグが０個、１個、２個、３個で読み上げを行うか否かを分けている。
制御部２１は、制御テーブルに従って、電池フラグが０個と１個の場合には、ユーザに電池残量が極めて少ないものとして報知するまめに「電池残量が少なくなっています」等の読み上げを行うように警告音の生成制御と読み上げ制御を行う。
制御部２１は、制御テーブルに従って、電池フラグが２個と３個の場合には、ユーザに電池残量を報知するまではないものとして読み上げ制御を行わない。
【００４１】
また、携帯電話機１０は、通信処理部がアンテナ１１１により無線信号を送受信することにより近隣の基地局との通信を確保する動作を常に行っている。ここで、携帯電話機１０が移動したり、周囲の環境が変化することにより時々刻々と携帯電話機１０からみた基地局からの電波の強度は変化する。制御部２１は、この電波の強度についても複数のしきい値を設け、それぞれに電波マーク０本〜３本を指定する。また、通信を行える最低限の電波の強度が得られない場合には圏外と指定して、これらを表示部１５、１６にて表示する。
電波状況は、たとえば表示部１５、１６に表示される電波が圏外、電波０本、電波１本、電波２本、電波３本で読み上げを行うか否かを分けている。
制御部２１は、制御テーブルに従って、電波が圏外、電波０本、電波１本には、ユーザに電波状況が極めて悪いものとして「現在位置では、電波状況が悪くなっています」等の読み上げを行うように警告音の生成制御と読み上げ制御を行う。
制御部２１は、制御テーブルに従って、電波が電波２本、電波３本の場合には、ユーザに電波状況を報知するまではないものとして読み上げ制御を行わない。
【００４２】
その他としては、充電完了時、通話中、電波状況回復時、着信、メール受信（この場合受信音が警告音）、未読メール、留守録有に分けられている。
制御部２１は、制御テーブルに従って、充電完了時、通話中、電波状況回復時、着信、メール受信（この場合受信音が警告音）、の場合には、ユーザにその旨を報知するために警告音の生成制御と読み上げ制御を行う。
制御部２１は、制御テーブルに従って、未読メール、留守録有の場合には、他の報知機能を有していることから、読み上げ制御を行わない。
制御部２１は、マナーモード、ドライブモード、キーロック中には音声読み上げ制御は行わない。
【００４３】
この自動読み上げに際しては、制御部２１は、メモリ１２に記憶されている音声読み上げ機能の重み付けテーブルを参照する。
制御部２１は、重み付けテーブルの重み付け値に応じて自動読み上げを行うか行わないかを判定する。
【００４４】
図４は、本実施形態に係る重み付けテーブルの一例を示す図である。
図４の例では、自動読み上げのカテゴリーとして電池残量と、電波状況とに区分けしている。
【００４５】
電池状況は、たとえば表示部１５、１６に表示される電池フラグが０個、１個、２個、３個で重み付け値を変えて読み上げを行うか否かを分けている。
制御部２１は、制御テーブルに従って、たとえば重み付け値が４と３である電池フラグが０個と１個の場合には、ユーザに電池残量が極めて少ないものとして報知するまめに「電池残量が少なくなっています」等の読み上げを行うように警告音の生成制御と読み上げ制御を行う。
制御部２１は、制御テーブルに従って、重み付け値が２と１である電池フラグが２個と３個の場合には、ユーザに電池残量を報知するまではないものとして読み上げ制御を行わない。
【００４６】
電波状況は、たとえば表示部１５、１６に表示される電波が圏外、電波０本、電波１本、電波２本、電波３本で重み付け値を変えて読み上げを行うか否かを分けている。
制御部２１は、制御テーブルに従って、たとえば重み付け値が５，４，３である圏外、電波０本、電波１本には、ユーザに電波状況が極めて悪いものとして「現在位置では、電波状況が悪くなっています」等の読み上げを行うように警告音の生成制御と読み上げ制御を行う。
制御部２１は、制御テーブルに従って、重み付け値が２，１である電波が電波２本、電波３本の場合には、ユーザに電波状況を報知するまではないものとして読み上げ制御を行わない。
【００４７】
制御部２１は、通信部１１により通信網からの情報の受信または着信の処理が生じると報知音を生成する音声合成処理部１７に対して指示を出す。
制御部２１は、読み出し開始の理由が、情報の受信または着信の処理の発生であって報知音を音声出力部であるスピーカ１７２にて出力する際、警告音は音声出力部から出力させる。
【００４８】
制御部２１は、図示しないテキスト抽出部を含み、テキスト抽出部２６１は、テキスト抽出ルールに従って、たとえばメモリ１２に格納されているメニュー、メーラー、ブラウザ等ののデータベースからテキストを抽出して音声合成処理部１７に供給する。
その際、制御部２１は、テキスト列を１文字目から順に走査し、予めメモリ１２内の読み上げデータベースを参照して、前後の接続関係を考慮しながら、文単位の音声合成を行うように、音声合成部２０にテキストデータの供給を行う。また、制御部２１は、たとえば文単位の音声合成を行うように制御し、この読み上げ機能によれば、たとえば、男性音への変更、女性音への変更、読み上げスピードの変更などが可能である。
【００４９】
また、サブ表示部１５またはメイン表示部１６がテキストを表示する状態において、携帯電話機１の上方向に対してダイヤル入力がなされると、表示されるテキストの文字サイズが拡大するように、また、携帯電話機１の下方向に対してダイヤル入力がなされると、表示されるテキストの文字サイズが縮小するように、各表示部を制御する。
文字情報については、スケーラブルフォントとして、若しくは、サイズの異なる複数のフォントとしてメモリ１２に格納されているので、制御部２１は、文字情報をメモリ１２から取り出して各表示部に表示させる。
なお、ここで、携帯電話機１は、図２（ｂ）に示す状態において、リンガスピーカ２１側を下側として、テキストのフォントが表示されるとする。
【００５０】
制御部２１は、上述したように、ダイヤル入力部１４からのダイヤル入力に応じた処理を行うが、その際、携帯電話機１の開閉状態に応じた反転処理を行う。
一般的に、上下方向のダイヤル操作に対して、ユーザは、上方向の操作に対しては作用が増大することを、下方向の操作に対しては作用が減少することを期待するので、携帯電話機１の開閉状態に関わらず、上述したユーザの期待に沿った作用がなされることを実現するための処理が反転処理である。
【００５１】
すなわち、携帯電話機１が閉状態（図２（ｂ））において、上述したように、ダイヤルの上下方向の入力に応じて、たとえば文字サイズがそれぞれ拡大／縮小するように処理する場合には、仮に、何らその他の処理を行わないとすると、携帯電話機１が開状態（図２（ａ））においては、ユーザに対するダイヤル入力部１４の上下位置方向が閉状態と比して逆転するため、上方向の入力に応じて文字サイズが縮小し、ユーザにとって違和感が生ずる作用結果となる。
そこで、制御部２１は、開閉スイッチ１８の出力に基づいて、携帯電話機１の開閉状態を判別し、当該開閉状態に応じて、ダイヤル入力部１４に対する作用の反転処理を行う。これにより、ユーザから見ると、携帯電話機１の開閉状態に関わらず、常に、ダイヤル入力部１４に対する上方向の操作により、文字サイズを拡大させる方向に、また、ダイヤル入力部１４に対する下方向の操作により、文字サイズを縮小させる方向に、動作することになるので、違和感がなく、操作性が向上する。
【００５２】
以上、携帯電話機１０の各構成要素について述べた。
次に、本実施形態に係る携帯電話機１０の音声読み上げ制御について、図５〜図８に関連付けて具体的に説明する。
【００５３】
まず、図５に関連付けて本実施形態に係る読み上げ動作の基本的動作を説明する。
図５は、本実施形態に係る読み上げ動作の基本的動作を説明するためのフローチャートである。
【００５４】
基本的には、読み上げ可能な状態に遷移することにより作動する。
まず、読み上げキー操作部１９の操作、あるいは何らかのイベント、たとえば電池残量や電波状況を読み上げて報知する必要が生じた場合（ＳＴ１）、まず、その読み上げ指示が読み上げキー操作部１９の操作に基づくものか否かの判定を行う（ＳＴ２）。
ステップＳＴ２において、読み上げキー操作部１９の操作に基づくものであると判別すると、メモリ１２から所望のテキストを抽出して制御信号ＣＴＬ２を音声合成処理部１７に出力して音声合成にて音声データを生成させて、音声データを出力させる（ＳＴ３）。
この場合、ユーザの意志によるものであることから警告音の発生は行わない。
【００５５】
ステップＳＴ２において、読み上げキー操作部１９の操作に基づくものでないと判別すると、自動読み上げによるものと判定して（ＳＴ４）、操作していることに対する読み上げ、具体的にはカーソルを合わせた時の読み上げ、数字入力の読み上げであるか否かの判別を行う（ＳＴ５）。
ステップＳＴ５において、操作していることに対する読み上げであると判別すると、ユーザの意志によるものであることから警告音の発生は行わず、ステップＳＴ３において音声読み上げを開始させる。すなわち、メモリ１２から所望のテキストを抽出して制御信号ＣＴＬ２を音声合成処理部１７に出力して音声合成にて音声データを生成させて、音声データを出力させる。  
【００５６】
ステップＳＴ５において、操作していることに対する読み上げではないと判別すると、メール受信、着信時か否かの判別を行う（ＳＴ６）。
ステップＳＴ６において、メール受信、着信時であると判別すると、ユーザは受信、着信音があることから、警告音の発生は行わず、ステップＳＴ３において音声読み上げを開始させる。すなわち、メモリ１２から所望のテキストを抽出して制御信号ＣＴＬ２を音声合成処理部１７に出力して音声合成にて音声データを生成させて、音声データを出力させる。
【００５７】
ステップＳＴ６において、メール受信、着信時でない判別すると、次に通話中であるか否かに判別を行う（ＳＴ７）。
ステップＳＴ７において、通話であると判別すると、警告音は必要ないことから、警告音の発生は行わず、ステップＳＴ３において音声読み上げを開始させる。すなわち、メモリ１２から所望のテキストを抽出して制御信号ＣＴＬ２を音声合成処理部１７に出力して音声合成にて音声データを生成させて、音量を調整し、通話相手の音声とともに音声データを出力させる。
【００５８】
ステップＳＴ７において、通話でないと判別すると、制御テーブルあるいは重み付けテーブルである条件テーブルを参照する（ＳＴ８）。
条件テーブル表の読み上げ項目がＯＮであるか否かの判別を行う（ＳＴ９）。
ステップＳＴ９において、項目がＯＮでない（ＯＦＦ）と判別すると、警告音は必要ないことから、警告音の発生は行わず、ステップＳＴ３において音声読み上げを開始させる。すなわち、メモリ１２から所望のテキストを抽出して制御信号ＣＴＬ２を音声合成処理部１７に出力して音声合成にて音声データを生成させて、音声データを出力させる。
【００５９】
ステップＳＴ９において、項目がＯＮであると判別すると、警告音が必要であることから、第１の制御信号ＣＴＬ１により警告音を生成した後（ＳＴ１０）、第２の制御信号ＣＴＬ２にてテキストを音声データに変換するように制御する。
具体的には、警告音を出力させてから所定時間経過後に、ステップＳＴ３において音声読み上げを開始させる。すなわち、メモリ１２から所望のテキストを抽出して制御信号ＣＴＬ２を音声合成処理部１７に出力して音声合成にて音声データを生成させて、音声データを出力させる。
このように、所定時間経過してから、音声読み上げを開始させることにより、音声出力部１７１にて出力される警告音が残留音などを含む音であっても読み上げる音声に重畳されてしまったり、図示しない音声の増幅回路にとっても、供給される音源が警告音発生部２０から音声合成処理部１７の合成音に急に切り換わってしまい、増幅率の変化についていけない等の問題を回避することもできる。
【００６０】
また、図６は、通行中における音声読み上げ機能のユースシーンを示す図である。図７は、通話中における音声読み上げ機能のユースシーンを示す図である。図８は、メール中における音声読み上げ機能のユースシーンを示す図である。
【００６１】
たとえばポケットに携帯電話機１０が入った状態で通行しているときにおいて、電池が切れそうになっているときには、図６に示すように、警告音「ピンポン」と発せられた後に「電池が残り１個になりました」との音声読み上げが行われる。これを聞いたユーザには、たとえばコンビニエンスストアで補充電用電池を買うなどの思慮を働かせるきっかけを与えることができる。
さらに、電話がかかってくる予定があり、その着信を図７に示すように待っているときに、同じく電池が切れそうになっているときには、警告音「ピンポン」と発せられた後に「電池が残り１個になりました」との音声読み上げが行われる。これを聞いたユーザには、充電しながら通話することも想定して、充電器を充電端子にコネクタで接続しておくように予め来るべき通話に向けての対策を講じておくことができる。
また、電子メールを作成し、その送信指示を行うと、通常は送信指示を行ってから基地局との通信を確立した上で、所定のメールサーバなどを呼び出して電子メールを所定のパケットなどにより送信するため、ユーザが送信を指示してから送信完了までには数秒程度のタイムラグがある。このようなメール送信時についても、図８に示すように、電波状況の良好な状態で電子メールを作成してから送信指示してメールサーバへの接続待ちなどまだ送信の完了していないときに、送信が成功することを見越して携帯電話１０をポケットにしまうことも多々ある。このときにもし、ポケットに入れてから電波状態が良好でなくなると、警告音「ピンポン」と発した後に「電波の良いところでリトライして下さい」との音声読み上げが行われる。これを聞いたユーザには、たとえば後で送信しなおすか、あるいは場所を変えるなどの措置を取るきっかけを作ることができ、電子メールの送信失敗に気づかない、というような事態を極力防止することができる。
【００６２】
以上説明したように、本実施形態によれば、読み上げ項目に応じたテキストを記憶するメモリ１２と、警告音を生成する警告音発生部２０と、読み上げを行う際に、メモリ１２に記憶されたテキストを音声データに変換する音声合成処理部１７と、音声データまたは警告音を出力する音声出力部１７１と、音声出力部１７１にて音声データを出力する際、読み上げ開始の理由に応じて、警告音を音声出力部にて出力してから音声データを出力するように制御する制御部２１とを有するので、読み上げ前に警告音を鳴らすことでユーザ（聞き手）側に注意を促せ、聞き逃しをなくす等の効果を得ることができる。
読み上げを自動にするかボタン押下による読み上げにするかを設定でき、さらに自動に設定した場合でも、ユーザが警告音の必要性のないときは警告音を鳴らさないようにすることができ、煩雑な手間を要することなく読み上げ前の警告音をユーザが設定でき、しかも必要なときのみ警告音を発生することができる利点がある。
【００６３】
また、本実施形態に係る携帯電話機１０によれば、ダイヤル入力部１４に対する操作により、表示されているテキストの文字を拡大／縮小することができ、テキストの視認性が向上するとともに、テキストの文字を拡大／縮小する際に、そのテキストの表示形式に応じた表示処理を行うので、さらにユーザの視認性および操作快適性が向上する。
【図面の簡単な説明】
【００６４】
【図１】携帯電話機のシステム構成の一例を図解したブロック図である。
【図２】携帯電話機の外観の一例を図解した図であり、（ａ）は正面の外観図を、（ｂ）は背面の外観図を、（ｃ）は正面の外観図を、（ｄ）は背面の外観図を、それぞれ示す。
【図３】本実施形態に係る制御テーブルの一例を示す図である。
【図４】本実施形態に係る重み付けテーブルの一例を示す図である。
【図５】本実施形態に係る読み上げ動作の基本的動作を説明するためのフローチャートである。
【図６】通行中における音声読み上げ機能のユースシーンを示す図である。
【図７】通話中における音声読み上げ機能のユースシーンを示す図である。
【図８】メール中における音声読み上げ機能のユースシーンを示す図である。
【符号の説明】
【００６５】
１０…携帯電話機
１００…本体ケース
１０１…キー入力側本体ケース
１０２…表示側本体ケース
１１…通信処理部
１１１…送受信アンテナ
１２…メモリ
１３…キー操作部
１４…ダイヤル入力部
１５…サブ表示部
１６…メイン表示部
１７…音声合成処理部
１７１…スピーカ
１７２…マイクロフォン
１８…開閉スイッチ
１９…読み上げキー操作部
２１…制御部
【図１】
2006014246.tif 000003
【図２】
2006014246.tif 000004
【図３】
2006014246.tif 000005
【図４】
2006014246.tif 000006
【図５】
2006014246.tif 000007
【図６】
2006014246.tif 000008
【図７】
2006014246.tif 000009
【図８】
2006014246.tif 000010